(57)【要約】  多色画像をバックライト照明表示器に、表示器の解像度を低減する要素なしで表示することのできる方法および装置が創出される。多色画像をバックライト照明表示器に、表示器の解像度を低減する要素なしで表示する方法は、表示器の少なくとも二色のバックライト照明の個別に制御可能な色を時系列的に制御することと、表示器の少なくとも二色のバックライト照明の色に画素値を割り当てることと、を有する。さらに表示装置は、前に記載した表示方法を実施するように構成された装置を有する。【選択図】  図３
2020519917.tif 000002
【特許請求の範囲】
【請求項１】
多色画像をバックライト照明表示器に、表示器の解像度を低減する要素なしで表示する方法であって、
（ａ）表示器の少なくとも二色のバックライト照明の個別に制御可能な色を時系列的に制御することと、
（ｂ）表示器の少なくとも二色のバックライト照明の色に画素値を割り当てることと、を有する方法
【請求項２】
表示器の少なくとも二色のバックライト照明の個別に制御可能な色が制御される、ことを特徴とする請求項１に記載の方法。
【請求項３】
多色画像をバックライト照明表示器に、表示器の解像度を低減する要素なしで表示する装置であって、
（ａ）表示器の少なくとも二色のバックライト照明の個別に制御可能な色の装置と、
（ｂ）表示器の少なくとも二色のバックライト照明の個別に制御可能な色を制御する装置と、
（ｃ）表示器の解像度を低減する要素を備えない表示器と、を有する装置。
【発明の詳細な説明】
【技術分野】
【０００１】
本発明は、多色画像をバックライト照明表示器に、表示器の解像度を低減する要素なしで表示する方法および装置に関する。
【背景技術】
【０００２】
従来技術では、多色画像を表示するために、バックライト照明多色ＬＣＤ（液晶ディスプレイ）が使用される。この種のバックライト照明多色表示器は、バックライト照明、画素およびカラーフィルタを有する。
【０００３】
多色表示器のバックライト照明は、個別のＬＥＤ（発光ダイオード）またはＬＥＤ群を有する、例えば直接的または間接的（エッジ照明）バックライト照明とすることができ、個別のＬＥＤまたはＬＥＤ群は互いに別個に制御可能である。バックライト照明の色は単色である。
【０００４】
多色表示器の画素は透光性である。透光性は、画素値あるいはグレー値（ＧＷ）の形態で制御される。
【０００５】
多色表示器のカラーフィルタは、例えば受動型のＲＧＢカラーフィルタとすることができ、これらのカラーフィルタはそれぞれ画素の後方に配置されている。Ｒ、Ｇ、およびＢカラーフィルタを備える隣接する３つの画素からなる一ユニットは、赤緑青の画素を形成する。
【０００６】
赤緑青の画素の透光性が制御可能であることに基づき、ＲＧＢ色空間の色あるいは色値が形成される。
【０００７】
図１は、従来技術による多色表示器の直接的または間接的な単色バックライト照明の構造を概略的に示す。
【０００８】
一般的に多色表示器のバックライト照明は、受動型ＲＧＢカラーフィルタマトリクスを有する。受動型ＲＧＢカラーフィルタマトリクスは、表示器の解像度を係数３だけ低減する。
【発明の概要】
【発明が解決しようとする課題】
【０００９】
本発明の課題は、多色画像をバックライト照明表示器に、表示器の解像度を低減する要素なしで表示することのできる方法および装置を創出することである。
【課題を解決するための手段】
【００１０】
この課題は、独立請求項に記載された措置によって解決される。
【００１１】
本発明のさらなる有利な構成は、従属請求項の対象である。
【００１２】
多色画像をバックライト照明表示器に、表示器の解像度を低減する要素なしで表示する方法は、表示器の少なくとも二色のバックライト照明の個別に制御可能な色を時系列的に制御することと、表示器の少なくとも二色のバックライト照明の色に画素値を割り当てることと、を有する。
【００１３】
一構成によれば、表示器の少なくとも二色のバックライト照明の個別に制御可能な色が制御される。
【００１４】
さらに表示装置は、前に記載した表示方法またはその構成を実施するように構成された装置を有する。
【００１５】
本発明を、以下、添付図面を参照して一実施例に基づき詳細に説明する。
【図面の簡単な説明】
【００１６】
【図１】従来技術の多色表示器の、直接的および間接的な単色バックライト照明の構造を概略的に示す図である。
【図２】本発明の第１実施例による、表示器の分解能を低減する要素を備えない表示器の間接的な三色ＲＧＢバックライト照明の構造を概略的に示す図である。
【図３】本発明の第１実施例による図２の概略的構造に基づき、表示器の三色ＲＧＢバックライト照明の個別に制御可能な色を時系列的に制御することと、表示器の三色ＲＧＢバックライト照明の色に画素値を割り当てることと、の方法フローを示す図である。
【発明を実施するための形態】
【００１７】
以下、本発明の第１実施例を記述する。
【００１８】
図２は、本発明の第１実施例による、画素の解像度を低減する要素を備えない表示器の間接的三色ＲＧＢバックライト照明の構造を概略的に示す。
【００１９】
図２において、“赤”は赤色バックライト照明、“緑”は緑色バックライト照明、“青”は青色バックライト照明を示す。
【００２０】
図３は、本発明の第１実施例による図２の概略的構造に基づき、表示器の三色ＲＧＢバックライト照明の個別に制御可能な色を時系列的に制御することと、表示器の三色ＲＧＢバックライト照明の色に画素値を割り当てることと、の方法フローを示す。
【００２１】
表示器の三色ＲＧＢバックライト照明の個別に制御可能な色を制御するために、例えばＰＷＭないしパルス幅変調信号を使用することができる。このパルス幅変調信号は、表示器の三色ＲＧＢバックライト照明の時系列制御のシーケンシャルフェーズを制御する。
【００２２】
表示器の画素の透光性は、画素値あるいはグレー値（ＧＷ）ＧＷR、ＧＷG、ＧＷBによって表示器の三色ＲＧＢバックライト照明の色に割り当てられる。
【００２３】
表示器の三色ＲＧＢバックライト照明の個別に制御可能な色を時系列的に制御することと、表示器の三色ＲＧＢバックライト照明の色に画素値を割り当てることと、の方法フローは、この例では３つのステップに基づく。
【００２４】
ステップ１では、表示器の赤色のバックライト照明の制御が行われ（赤オン）、緑色と青色のバックライト照明は遮断される（緑と青オフ）。表示器の画素の透光性は、グレー値ＧＷＲによって調節される。
【００２５】
その後、方法フローはステップ２に進む。
【００２６】
ステップ２では、表示器の緑色のバックライト照明の制御が行われ（緑オン）、赤色と青色のバックライト照明は遮断される（赤と青オフ）。表示器の画素の透光性は、グレー値ＧＷＧによって調節される。
【００２７】
その後、方法フローはステップ３に進む。
【００２８】
ステップ３では、表示器の青色のバックライト照明の制御が行われ（青オン）、赤色と緑色のバックライト照明は遮断される（赤と緑オフ）。表示器の画素の透光性は、グレー値ＧＷＢによって調節される。
【００２９】
ステップ３の後、方法フローはステップ１に戻る。
【００３０】
方法フローの順番は任意に選択することができる。
【００３１】
表示器の画素の色値（ＦＷ）は、方法フローにしたがい、ＲＧＢ色空間のＲＧＢグレー値によって規定される。
【００３２】
ＦＷＲＧＢ＝｛ＧＷＲ、ＧＷＧ、ＧＷＢ｝
【００３３】
要約すると、多色画像をバックライト照明表示器に表示することができ、その際に表示器の解像度を低減する要素を使用しない。
【００３４】
本方法と装置は、標準的コンポーネントにより実現することができる。
【００３５】
以下、本発明の第２実施例を記述する。
【００３６】
本発明の第２実施例は、以下に記載する変更を除いて、本発明の第１実施例と同じである。したがって本発明の第１実施例に関してなされた構成が、本発明の第２実施例に対しても同様に当てはまる。
【００３７】
本発明のさらなる有利な構成は請求項２に記載されている。表示器の三色ＲＧＢバックライト照明の個別に制御可能な色は、時間的に並列に制御される。例えば、方法フローのステップにおける表示器の三色ＲＧＢバックライト照明の色は、ＲＧＢ色空間の混合色とすることができる。混合色は、例えば画像に依存して調節することができる。
【００３８】
以下、本発明の第３実施例を記述する。
【００３９】
本発明の第３実施例は、以下に記載する変更を除いて、本発明の第２実施例と同じである。したがって本発明の第２実施例に関してなされた構成が、本発明の第３実施例に対しても同様に当てはまる。
【００４０】
本発明のさらなる有利な構成は、方法フローのステップを省略する。例えば二色画像の場合、表示器の三色ＲＧＢバックライト照明の時系列制御の２つのステップだけを実行することができる。この形式の制御は、表示すべき画像のコントラストを高める。
【００４１】
本発明を、ここまで実施例に基づき説明したが、本発明の範囲を逸脱することなく、添付した特許請求の範囲に定義されているように、種々の構成および変更を実施できることが理解される。
【００４２】
本発明のさらなる特徴および利点に関しては、図面の開示が明示的に参照される。
【図１】
2020519917.tif 000003
【図２】
2020519917.tif 000004
【図３】
2020519917.tif 000005
【手続補正書】
【提出日】平成30年7月16日(2018.7.16)
【手続補正１】
【補正対象書類名】特許請求の範囲
【補正対象項目名】全文
【補正方法】変更
【補正の内容】
【特許請求の範囲】
【請求項１】
多色画像をバックライト照明表示器に、表示器の解像度を低減する要素なしで表示する方法であって、
（ａ）表示器の少なくとも二色のバックライト照明の個別に制御可能な基本色を時系列的に、時間的に並列に、かつ時間的に調整可能に制御することと、
（ｂ）表示器の少なくとも二色のバックライト照明の色に画素値を割り当てることと、を有する方法。
【国際調査報告】
2020519917.tif 000006
2020519917.tif 000007
2020519917.tif 000008
2020519917.tif 000009